(57)【要約】【課題】トーボードの後退により車室の乗員の足もと空間を狭めて乗員に傷害を与えてしまうことを防止することが出来る車体構造を提供する。【解決手段】フロアパネル１２と、フロアパネル前縁部から斜め上方に延びるトーボード８と、ダッシュパネル６と、トーボードに接続され後方に向けてフロアパネル上を車体前後方向に延びるフロアトンネル２２と、を有する車体構造であって、フロアトンネルは、このトーボードと連続するようにそのトーボードに接続され、フロアトンネルとトーボードとの接続部には側面視でくの字状に折り曲げられた屈曲部２４が設けられ、屈曲部の近傍には、その一端部が屈曲部より前方でトーボードに結合され、その他端部が屈曲部より後方でフロアトンネルの下方の側部に結合されている補強部材３０が設けられている。【選択図】図１
2010023537.tif 000002
【特許請求の範囲】
【請求項１】
車室フロアを形成するフロアパネルと、このフロアパネルの車体前後方向前端部から斜め上方に延びるように形成されたトーボードと、このトーボードの上縁部から上方に延びるダッシュパネルと、上記トーボードに接続され後方に向けて上記フロアパネル上を車体前後方向に延びるフロアトンネルと、を有する車体構造であって、
上記トーボードの車幅方向中央部には上方に突出した突出部が形成され、
上記フロアトンネルは、このトーボードの突出部と連続するようにその突出部に接続され、
上記フロアトンネルと上記トーボードの突出部との接続部には側面視でくの字状に折り曲げられた屈曲部が設けられ、
上記屈曲部の近傍には、その一端部が上記屈曲部より前方で上記トーボードの突出部の突出した上方部分に結合され、その他端部が上記屈曲部より後方で上記フロアトンネルの下方の側部に結合されている補強部材が設けられていることを特徴とする車体構造。
【請求項２】
上記補強部材は、側面視でほぼ上下方向に延びる板状部材であり、且つ、上記一端部が正面視で上記トーボードの突出部の上面部に沿って延びる上縁部であり、この上縁部が上記突出部の上面部の内方に結合され、且つ、上記他端部が正面視で上記フロアトンネルの側面部に沿って延びる側縁部であり、この側縁部が上記フロアトンネルの側面部の内方に結合されている請求項１に記載の車体構造。
【請求項３】
上記補強部材は、その下方で車幅方向に延びる下縁部を有し、この下縁部には、下方に向けて開口した開口部が形成されている請求項１又は請求項２に記載の車体構造。
【請求項４】
上記補強部材には補強用リブが形成されている請求項１乃至３のいずれか１項に記載の車体構造。
【請求項５】
上記補強部材に上下方向に延びる長孔が形成されている請求項１乃至４のいずれか１項に記載の車体構造。
【請求項６】
上記補強部材は、左右一対の板状部材であり、それらの一端部が上記トーボードの突出部の内方の下面部の左右両側にそれぞれ結合され、且つ、それらの他端部が上記フロアトンネルの内方且つ下方の側面部にそれぞれ結合されている請求項１に記載の車体構造。
【請求項７】
車室フロアを形成するフロアパネルと、このフロアパネルの車体前後方向前端部から斜め上方に延びるように形成されたトーボードと、このトーボードの上縁部から上方に延びるダッシュパネルと、上記トーボード及び上記フロアパネルに形成され車体前後方向に延びるトンネル部と、を有する車体構造であって、
上記トンネル部には側面視でくの字状に折り曲げられた屈曲部が設けられ、
上記屈曲部の近傍には、その一端部が上記屈曲部より前方で上記トンネル部の突出した上方部分に結合され、その他端部が上記屈曲部より後方で上記トンネル部の下方の側面部に結合されている補強部材が設けられていることを特徴とする車体構造。
【請求項８】
上記補強部材は、側面視でほぼ上下方向に延びる板状部材であり、且つ、上記一端部が正面視で上記トンネル部の突出した上方部分に沿って延びる上縁部であり、この上縁部が上記トンネル部の上記上方部分の内方に結合され、且つ、上記他端部が正面視で上記トンネル部の側面部に沿って延びる側縁部であり、この側縁部が上記トンネル部の側面部の内方に結合されている請求項７に記載の車体構造。
【請求項９】
上記補強部材は、左右一対の板状部材であり、それらの一端部がトンネル部の突出した上方部分の内方にそれぞれ結合され、且つ、それらの他端部が上記トンネル部下方の側面部の内方にそれぞれ結合されている請求項７又は請求項８に記載の車体構造。
【発明の詳細な説明】
【技術分野】
【０００１】
本発明は、車体構造に係り、特に、トーボードとフロアトンネルとの接続部の近傍にくの字状に折り曲げられた屈曲部の補強部材を有する車体構造に関する。
【背景技術】
【０００２】
従来、フロアトンネルの前部下面側に凹形状をしたリインフォースメントが設けられ、その前端面がダッシュパネルより前方側に突出した車体構造が知られている（特許文献１）。
【０００３】
【特許文献１】特開平９−１１８２６５号公報
【発明の開示】
【発明が解決しようとする課題】
【０００４】
しかしながら、上述したような従来の構造では、正突時、ダッシュパネル前方に突出したリインフォースメントが、後退してきたエンジンと干渉し、そのリインフォースメントによりフロアトンネルが後方に押される。フロアトンネルが後方に押されると、フロアパネルに曲げモーメントが発生してフロアパネルがめくり上がるように変形し、その結果、キャビンが変形し、乗員の生存空間が狭まってしまう。
【０００５】
また、そのようなリインフォースメントを有さない場合でも、図８に示すように、正突時にエンジン１００が後退するとダッシュパネル１０２に衝突し、その衝撃力は、フロアトンネル１０３とトーボード１０４とに伝達される。トーボード１０４は、通常、トランスミッションや排気系等を収容するために上方に突出した突出部１０４ａを有し、トーボード全体は、斜め上方且つ前方に向けて延びている。フロアトンネル１０３は、トーボード１０４の突出部に接続され、その接続部が側面視で屈曲している（屈曲部１０８）。
【０００６】
従って、ダッシュパネル１０２に衝撃力が加えられると、図８に示すように、ダッシュパネル１０２及びトーボード１０４を介して後方に向かう力Ｆがフロアトンネル１０３及びフロアパネル１０６に伝わる。また、ダッシュパネル１０２に加えられた衝撃力がトーボード１０４及びフロアトンネル１０３に加わると、図８に示すように、その屈曲部１０８を中心に大きな曲げモーメントＭａが生じる。
【０００７】
このような曲げモーメントＭａにより、屈曲部１０８を中心にしてトーボード１０４が、フロアトンネル１０３の側に向けて近づくように変形するので、トーボード１０４が後方に移動し、車室の乗員の足もと空間を狭めて乗員に傷害を与えてしまう危険性がある。なお、後方に向く力により、例えば、図８に示すように、フロアトンネル１０３の変形に伴ってフロアパネル１０６がめくり上がるように変形する。その結果、フロントシート１１０が前方に傾いて、乗員を前方に投げ出してしまう、というような問題もある。
【０００８】
従来の構造では、フロアトンネルの補強部材（レインフォースメント）は、排気系との干渉で大きな断面がとれないため、これらの力Ｆや曲げモーメントＭａによる変形挙動を押さえることが出来なかった。よって、フロアトンネルの変形が大きくなり、それによりトーボードが後退してしまい、乗員へ傷害を与える恐れがあった。
【０００９】
本発明は、上述した従来技術の問題点を解決するためになされたものであり、トーボードの後退により車室の乗員の足もと空間を狭めて乗員に傷害を与えてしまうことを防止することが出来る車体構造を提供することを目的とする。
【課題を解決するための手段】
【００１０】
上記の目的を達成するために本発明によれば、車室フロアを形成するフロアパネルと、このフロアパネルの車体前後方向前端部から斜め上方に延びるように形成されたトーボードと、このトーボードの上縁部から上方に延びるダッシュパネルと、トーボードに接続され後方に向けてフロアパネル上を車体前後方向に延びるフロアトンネルと、を有する車体構造であって、トーボードの車幅方向中央部には上方に突出した突出部が形成され、フロアトンネルは、このトーボードの突出部と連続するようにその突出部に接続され、フロアトンネルとトーボードの突出部との接続部には側面視でくの字状に折り曲げられた屈曲部が設けられ、屈曲部の近傍には、その一端部が屈曲部より前方でトーボードの突出部の突出した上方部分に結合され、その他端部が屈曲部より後方でフロアトンネルの下方の側部に結合されている補強部材が設けられていることを特徴としている。
【００１１】
このように構成された本発明においては、フロアパネル上のフロアトンネルとトーボードの突出部との接続部に設けられた屈曲部の近傍に、一端部が屈曲部より前方でトーボードの突出部の突出した上方部分に結合され、他端部が屈曲部より後方でフロアトンネルの下方の側面部に結合されている補強部材が設けられているので、屈曲部の曲げ剛性を向上させることが出来る。特に、屈曲部に曲げモーメントが加わる場合、一端部が屈曲部より前方でトーボードの突出部の突出した上方部分に結合され、他端部が屈曲部より後方でフロアトンネルの下方の側面部に結合されると、補強部材には引張力が加わるようになり、屈曲部近傍に加わる曲げモーメントを低減させることが出来る。従って、屈曲部を中心にトーボードが後退することを抑制することが出来、車室の乗員の足もと空間を狭めて乗員に傷害を与えてしまうことを防止することが出来る。
【００１２】
また、本発明において、好ましくは、補強部材は、側面視でほぼ上下方向に延びる板状部材であり、且つ、一端部が正面視でトーボードの突出部の上面部に沿って延びる上縁部であり、この上縁部が突出部の上面部の内方に結合され、且つ、他端部が正面視でフロアトンネルの側面部に沿って延びる側縁部であり、この側縁部がフロアトンネルの側面部の内方に結合されている。
このように構成された本発明においては、車両の正突時に屈曲部を中心に曲げモーメントが加わった場合、板状部材に引張力が生じる。ここで、板状部材は、その板状部材に曲げ力が加わって曲げ変形するよりも、引張力が加わってその板状部材の面内でせん断変形する方が耐荷重が大きく且つ変形が小さい。従って、本発明のように板状部材に引張力が加わるようにすれば、軽量な構造で曲げモーメントの発生を抑制して、トーボードの後方への移動を抑制することが出来る。また、このような板状部材により、衝突時の変形だけでなく、フロアトンネル及びトーボードのねじり剛性をも高めることが出来る。
【００１３】
また、本発明において、好ましくは、補強部材は、その下方で車幅方向に延びる下縁部を有し、この下縁部には、下方に向けて開口した開口部が形成されている。
このように構成された本発明においては、補強部材と排気系との干渉を抑制することが出来る。
【００１４】
また、本発明において、好ましくは、補強部材には補強用リブが形成されている。
このように構成された本発明においては、トーボードの突出部及びフロアトンネルの曲げ剛性及びねじり剛性をより確実に向上させることが出来る。
【００１５】
また、本発明において、好ましくは、補強部材に上下方向に延びる長孔が形成されている。
このように構成された本発明においては、補強部材の軽量化を図りつつ、トーボードの突出部及びフロアトンネルの曲げ剛性及びねじり剛性を向上させることが出来る。
【００１６】
また、本発明において、好ましくは、補強部材は、左右一対の板状部材であり、それらの一端部がトーボードの突出部の内方の下面部の左右両側にそれぞれ結合され、且つ、それらの他端部がフロアトンネルの内方且つ下方の側面部にそれぞれ結合されている。
このように構成された本発明においては、上述したように、板状部材が、曲げ変形するような曲げモーメントの耐荷重より、せん断変形するような引張力の耐荷重が大きく且つ変形が小さいことを利用し、軽量な構造で曲げモーメントの発生を抑制して、トーボードの後方への移動を抑制することが出来る。また、このような板状部材により、衝突時の変形だけでなく、フロアトンネル及びトーボードのねじり剛性をも高めることが出来る。このような作用を、トーボードの下面部内及びフロアトンネル内の左右両側に設けたそれぞれの補強部材で得ることが出来る。また、それぞれの補強部材の間に排気系等を通すことも可能となる。
【００１７】
上記の目的を達成するために本発明によれば、車室フロアを形成するフロアパネルと、このフロアパネルの車体前後方向前端部から斜め上方に延びるように形成されたトーボードと、このトーボードの上縁部から上方に延びるダッシュパネルと、上記トーボード及び上記フロアパネルに形成され車体前後方向に延びるトンネル部と、を有する車体構造であって、トンネル部には側面視でくの字状に折り曲げられた屈曲部が設けられ、屈曲部の近傍には、その一端部が屈曲部より前方でトンネル部の突出した上方部分に結合され、その他端部が屈曲部より後方でトンネル部の下方の側面部に結合されている補強部材が設けられていることを特徴としている。
【００１８】
このように構成された本発明においては、トンネル部に設けられた屈曲部の近傍に、一端部が屈曲部より前方でトンネル部の突出した上方部分に結合され、他端部が屈曲部より後方でトンネルの部下方の側部に結合されている補強部材が設けられているので、屈曲部の曲げ剛性を向上させることが出来る。特に、屈曲部に曲げモーメントが加わる場合、一端部が屈曲部より前方でトンネル部の突出した上方部分に結合され、他端部が屈曲部より後方でトンネル部の下方の側部に結合されると、補強部材には引張力が加わるようになり、屈曲部近傍に加わる曲げモーメントを低減させることが出来る。従って、屈曲部を中心にトーボードが後退することを抑制することが出来、車室の乗員の足もと空間を狭めて乗員に傷害を与えてしまうことを防止することが出来る。
【００１９】
また、本発明において、好ましくは、補強部材は、側面視でほぼ上下方向に延びる板状部材であり、且つ、一端部が正面視でトンネル部の突出した上方部分に沿って延びる上縁部であり、この上縁部がトンネル部の上面部の内方に結合され、且つ、他端部が正面視でトンネル部の側面部に沿って延びる側縁部であり、この側縁部がトンネル部の側面部の内方に結合されている。
このように構成された本発明においては、車両の正突時に屈曲部を中心に曲げモーメントが加わった場合、板状部材に引張力が生じる。ここで、板状部材は、その板状部材に曲げ力が加わって曲げ変形するよりも、引張力が加わってその板状部材の面内でせん断変形する方が耐荷重が大きく且つ変形が小さい。従って、本発明のように板状部材に引張力が加わるようにすれば、軽量な構造で曲げモーメントの発生を抑制して、トーボードの後方への移動を抑制することが出来る。また、このような板状部材により、衝突時の変形だけでなく、フロアトンネル及びトーボードのねじり剛性をも高めることが出来る。
【００２０】
また、本発明において、好ましくは、補強部材は、左右一対の板状部材であり、それらの一端部がトンネル部の突出した上方部分の内方にそれぞれ結合され、且つ、それらの他端部がトンネル部の内方且つ下方の側面部にそれぞれ結合されている。
このように構成された本発明においては、板状部材が、曲げ変形よりせん断変形の方が耐荷重が大きく且つ変形が小さいことを利用し、軽量な構造で曲げモーメントの発生を抑制して、トーボードの後方への移動などを抑制することが出来る。これらの作用は、板状部材が、面外変形より面内変形の方が強度が大きいことを利用したものである。また、このような板状部材により、衝突時の変形だけでなく、フロアトンネル及びトーボードのねじり剛性をも高めることが出来る。このような作用を、トーボードの突出部内及びフロアトンネル内の左右両側に設けたそれぞれの補強部材で得ることが出来る。また、それぞれの補強部材の間に排気系等を通すことも可能となる。
【発明の効果】
【００２１】
本発明の車体構造によれば、トーボードの後退により車室の乗員の足もと空間を狭めて乗員に傷害を与えてしまうことを防止することが出来る。
【発明を実施するための最良の形態】
【００２２】
以下、添付図面を参照しながら本発明の好ましい実施の形態について説明する。
図１は、本発明の実施形態による車体構造の斜め上方且つ後方から見た斜視図であり、図２は、本発明の実施形態による車体構造の図１のＡ−Ａ矢視図であり、図３は、本発明の実施形態による車体構造の図２のIII-III線に沿って見た断面図である。
図１に示すように、本発明の実施形態による車体構造が適用された車体１は、左右一対のフロントサイドフレーム２を有し、それらの後端部には、図１及び図２に示すように、車幅方向に延びるクロスメンバ４が連結されている。フロントサイドフレーム２間はエンジンルームであり、エンジン３が配置されている。
【００２３】
クロスメンバ４から上方には、エンジンルームと車室とを区画するダッシュパネル６が設けられ、クロスメンバ４の下方には、斜め後方に向けて傾斜して延びるトーボード８が設けられている。
【００２４】
このトーボード８は、ペダル類が配置されたり乗員がその足を置くところであり、図３に示すように、Ａピラー１０より前方で延びている。図１及び図３に示すように、トーボード８の後縁部には、フロアパネル１２が接続されており、このフロアパネル１２はほぼ水平に延びている。トーボード８及びフロアパネル１２の下面には、上述したフロントサイドフレーム２の後端部から延びるフロアサイドフレーム１４が結合されている。
【００２５】
トーボード８には、その車幅方向中央部で上方に突出した突出部（トンネル部）２０が形成されており、この突出部の後縁部には、車幅方向中央部でフロアパネル１２に対して上方に突出するように形成されたフロアトンネル（トンネル部）２２が接続されている。図２に示すように、突出部２０は下方に向けて開口したほぼハット状の断面形状を有しており、図１及び図２に示すように、フロアトンネル２２もほぼ同様の下方に向けて開口したほぼハット状の断面形状を有している。これらの形状により、トーボード８の突出部２０とフロアトンネル２２とが、車体前後方向に連続するように形成されている。
【００２６】
図３に示すように、突出部２０とフロアトンネル２２との接続部２４は、側面視で、「く」の字状に形成された屈曲部２４となっている。即ち、フロアトンネル２２はフロアパネル１２上でほぼ水平に延び、トーボード８の突出部２０は、側面視で、そのフロアトンネル２２の前端部に接続され、屈曲部２４から斜め前方且つ上方に向けて延びている。
【００２７】
なお、トーボード８を形成する部材は、図３に示すように、フロアパネル１２上まで延び、その後方側のフロアトンネル２２と結合部２２ａで結合されているが、本実施形態では、フロアトンネル２２としては、フロアパネル１２上を前方に向けて屈曲部２４まで延びる部分を指し、トーボード８としては、その屈曲部２４から前方に向けて延びる部分を指す。つまり、部材の差異ではなく、配置によって、トーボード８とフロアトンネル２２を区別している。
【００２８】
図１乃至図３に示すように、本発明の実施形態では、この屈曲部２４の下方に、屈曲部２４近傍の剛性を高める補強部材３０が取り付けられている。この補強部材３０は、図３において側面視で示すように、薄く斜め上下方向に延びる板状部材であり、その上縁及び左右の側縁が、それぞれ、フランジ３０ａにより突出部２０及びフロアトンネル２２に溶接されて結合されている。
【００２９】
また、補強部材３０は、図１において斜視図で、図２において正面図で示されるように、その上縁及び左右の側縁が、突出部２０及びフロアトンネル２２の形状に沿って延びている。そして、補強部材３０は、その上縁部（一端部）３０ｂがトーボード８の突出部２０の内方の上方部分に結合され、その下方の左右の側縁部（他端部）３０ｃが、フロアトンネル２２の内方の側方部分に結合されている。
【００３０】
図１及び図２に示すように、補強部材３０の下縁部３０ｄは、下方に向けて開口した円弧状の凹部となっている。このように凹部を形成することにより、排気系（図示せず）がその下方に設けられるようになっている。
【００３１】
なお、補強部材３０の変形例として、図４に正面図で示すように縦方向に延びるリブ３０ｅを形成しても良く、或いは、図５に正面図で示すように縦方向に延びる孔部３０ｆを形成しても良い。リブ３０ｅにより、後述する突出部２０及びフロアトンネル２２の曲げ剛性及びねじり剛性をより確実に向上させることが出来る。また、孔部３０ｆにより、軽量化を図ることが出来る。
【００３２】
また、補強部材３０の他の変形例として、図６に図１のＡ−Ａ矢視図で示すように、補強部材３０を左右一対の２つの板状部材３２に分割し、各補強部材３２において、それらの上縁部（一端部）がトーボード８の突出部２０の内方の上方部分に結合され、その下方の左右の側縁部（他端部）が、フロアトンネル２２の内方の側方部分に結合されるようにしても良い。この場合、２つの板状部材３２の間に排気系を通すことがより容易になる。
【００３３】
本発明の実施形態による作用効果を説明する。
先ず、フロアパネル１２上にフロアトンネル２２が設けられ、そのフロアトンネル２２と連続するように形成されたトーボード８の突出部２０との接続部に屈曲部２４が形成されている。そして、屈曲部２４の近傍に補強部材３０が設けられ、この補強部材３０は、その上縁部（一端部）３０ｂが屈曲部２４より前方でトーボード８の突出部２０の突出した上方部分に結合され、下方側縁部（他端部）３０ｃが屈曲部より後方でフロアトンネルの下方の側面部に結合されている。この補強部材３０により屈曲部の曲げ剛性を向上させることが出来る。
【００３４】
この剛性向上のメカニズムを図７により説明すると、車両の正突時に、エンジン３が後方に移動し、ダッシュパネル６に衝撃力Ｆが加わると、屈曲部２４には、図７においてＭで示すようなモーメントが加わる。このようなモーメントＭに対して、補強部材３０は、その上縁部（一端部）３０ｂが屈曲部２４より前方で突出部２０の突出した上方部分に結合され、下方側縁部（他端部）３０ｃが屈曲部より後方でフロアトンネルの下方の側面部に結合されているので、補強部材３０には、図７においてＴで示すような引張力が加わる。
【００３５】
ここで、板状部材であれば、その板を面外方向に曲げるような曲げ変形よりも、その板に引張力を加えて板内部にせん断応力が発生するような変形の方が、耐荷重が大きく且つ変形が小さい。従って、図７に示すように、板状部材である補強部材３０に引張力Ｔが加わるようにして、屈曲部２４近傍の剛性を高めることが出来る。そして、補強部材３０が板状部材であるので、軽量な構造で剛性を高めることが出来る。
【００３６】
従って、補強部材３０を設ければ、図８に示すような、トーボード８とフロアパネル１２との間、或いは、突出部２０とフロアトンネル２２の間に発生する曲げモーメントＭａを軽減することが出来る。これにより、トーボード８が変形して後方へ移動することを抑制することが出来る。また、衝突時の変形だけでなく、補強部材３０により、突出部２０及びフロアトンネル２２のねじり剛性をも高めることが出来る。これらの結果、正突時にトーボード８が後方に変形及び移動することにより車室の乗員の足もと空間を狭めて乗員に傷害を与えてしまうことを防止することが出来る。
【図面の簡単な説明】
【００３７】
【図１】本発明の実施形態による車体構造の斜め上方且つ後方から見た斜視図である。
【図２】本発明の実施形態による車体構造の図１のＡ−Ａ矢視図である。
【図３】本発明の実施形態による車体構造の図２のIII-III線に沿って見た断面図である。
【図４】本発明の実施形態の変形例による補強部材を示す正面図である。
【図５】本発明の実施形態の変形例による補強部材を示す正面図である。
【図６】本発明の実施形態の変形例による補強部材が適用された車体構造を示す図１のＡ−Ａ矢視図である。
【図７】本発明の実施形態による車体構造の作用を説明するための車体構造の模式図である。
【図８】従来技術による車体構造の変形の一例を示す模式図である。
【符号の説明】
【００３８】
６  ダッシュパネル
８  トーボード
１２  フロアパネル
２０  トーボードの突出部（トンネル部）
２２  フロアトンネル（トンネル部）
２４  屈曲部
３０  補強部材
３０ａ  補強部材のフランジ部
３０ｂ  補強部材の上縁部（一端部）
３０ｃ  補強部材の側縁部（他端部）
３０ｄ  補強部材の下縁部
【図１】
2010023537.tif 000003
【図２】
2010023537.tif 000004
【図３】
2010023537.tif 000005
【図４】
2010023537.tif 000006
【図５】
2010023537.tif 000007
【図６】
2010023537.tif 000008
【図７】
2010023537.tif 000009
【図８】
2010023537.tif 000010